(57)【特許請求の範囲】
【請求項１】
第１導体と第２導体とを重ねて接続する電気導体接続部において、断面コ字状の両脚端を互いに向き合う方向に折り曲げて開口部を形成した押え金具を設け、この押え金具を前記開口部が前記第１導体の裏面に対向するように配置すると共に前記押え金具の長手方向を前記第１導体の長手方向に沿うように配置し、かつ前記第１導体に、この第１導体の長手方向に沿う方向に長い長円形状の貫通穴を前記開口部に対向して設け、前記第２導体に、前記開口部に対向して貫通穴を設け、また、前記第１導体の貫通穴と前記押え金具の開口部を貫通し前記断面コ字状の両脚に当接する幅寸法のネジ板をネジ棒の端部に設け、端部にネジ棒を設けたネジ板を前記第１導体の貫通穴と前記押え金具の開口部を通して前記押え金具内に挿入して断面コ字状の両脚に当接させ、前記ネジ板のネジ棒を前記第２導体の貫通穴を通して第２導体の表側に突出させ、このネジ棒の突出側にナットを挿入してこのナットと前記押え金具との間で前記第１導体と第２導体とを締結したことを特徴とする電気導体接続部。
【請求項２】
第１導体と第２導体とを重ねて接続する電気導体接続部において、断面コ字状の両脚端を互いに向き合う方向に折り曲げて開口部を形成した押え金具を設け、この押え金具を前記開口部が前記第１導体の裏面に対向するように配置すると共に前記押え金具の長手方向を前記第１導体の長手方向に沿うように配置し、かつ前記第１導体に、この第１導体の長手方向に沿う方向に長い長円形状の貫通穴を前記開口部に対向して設け、前記第２導体に、前記開口部に対向して貫通穴を設け、また、前記第１導体の貫通穴と前記押え金具の開口部を貫通し前記断面コ字状の両脚に当接する幅寸法の頭部を有するネジ棒を設け、このネジ棒の頭部を前記第１導体の貫通穴と前記押え金具の開口部を通して前記押え金具内に挿入して断面コ字状の両脚に当接させ、前記ネジ棒を第２導体の貫通穴を通して第２導体の表側に突出させ、このネジ棒の突出側にナットを挿入してこのナットと前記押え金具との間で前記第１導体と第２導体とを締結したことを特徴とする電気導体接続部。
【請求項３】
第１導体と第２導体とを重ねて接続する電気導体接続部において、前記第１導体の裏面に押板を配置し、この押板の裏側に、押板に設けた貫通穴に引っ掛かるナットを設けると共に、前記第１導体と前記第２導体に夫々貫通穴を設け、かつ、前記第２導体の貫通穴と第１導体の貫通穴を通して頭部を有するネジ棒を前記ナットに締付け、このネジ棒の頭部と前記押板との間で前記第１導体と第２導体とを締結したことを特徴とする電気導体接続部。
【請求項４】
前記ナット又はネジ棒を電気機器出入口から締付けるようにしたことを特徴とする請求項１から３のいずれか１項に記載の電気導体接続部。
【請求項５】
前記第１導体は複数相の母線導体であると共に前記第２導体は複数相の分岐導体であり、前記第２導体の両側に第１電気機器とこれより定格の小さい第２電気機器を接続し、前記第２電気機器に接続される第２導体の相間間隔を前記第１電気機器に接続される第２導体の相間間隔よりも狭くし、かつ、前記第１導体と第２導体とを請求項１から３のいずれか１項に記載の電気導体接続部を使用して接続したことを特徴とする盤。
【請求項６】
前記第１導体は複数相の母線導体であると共に前記第２導体は複数相の分岐導体であり、前記複数相の母線導体は電気機器の正面から裏面に至る側面に沿って所定間隔で配置し、前記母線導体の各々と前記電気機器の正面との間を前記複数相の分岐導体によって接続し、かつ、前記母線導体と分岐導体とを請求項１から３のいずれか１項に記載の電気導体接続部を使用して接続したことを特徴とする盤。
【発明の詳細な説明】
【０００１】
【発明の属する技術分野】
本発明は電源側の母線導体と分岐導体の接続に関し、導体形状及び導体の裏面に固定した固定金具等を改良した電気導体接続部及びそれを使用した盤に関する。
【０００２】
【従来の技術】
配線用遮断器を多数配置し、導体で分岐する分電盤は、例えば特開２０００−５０４２９号公報に示される様に電源側母線導体に穴を開けて、その穴にボルト及びナットを挿入して電源側母線導体及び分岐導体を一緒に締付けて接続している。
【０００３】
【発明が解決しようとする課題】
上記従来技術は次に述べる様な問題点がある。分岐する配線用遮断器の定格・寸法が予め決められてしまい、変更時は母線導体を再度、製作して交換する必要がある。更に分岐用遮断器の定格が大きくなると、母線導体と分岐導体の接続部の締付けボルトが大きくなり、狭い所で盤の正面側と内部側の２方向からの締付結作業をすることになり、複数の作業員により締付け作業を行なうので、締付け作業が容易でない。
【０００４】
本発明の目的は、締付け作業を容易にした伝記導体接続部を提供する事にある。
【０００５】
【課題を解決するための手段】
前記目的を達成するために、本発明では、ネジ板の幅寸法を押え金具に当接する大きさに形成し、ネジ板にネジ棒を取付け、ネジ板を母線導体の貫通穴及び押え金具の開口部から押え金具内に挿入し、ネジ棒を操作してネジ板が押え金具の内側に当接した状態で、ネジ棒に挿入したナットを締付けて、ナットとネジ板との間に母線導体及び分岐導体を固定することを特徴とする。
【０００６】
即ち、電源側の母線導体に定格違いによる相間ピッチの異なる配線用遮断器を配置出来るように長円形状の貫通穴を開けた母線導体の裏面に押え金具の開口部を対向させて配置し、押え金具内にネジ板を配置し、そのネジ板に設けたネジ棒を分岐導体の貫通穴を貫通させてナットを回転することにより、正面側から母線導体と分岐導体とを固定する作業を１人で出来る様にすることにより達成される。
【０００７】
つまり、母線導体に長円形状の貫通穴があり、且つ正面側からボルトを挿入出来る事から相間寸法の異なる配線用遮断器に対しても容易に対応出来、又比較的大きな電流値の分岐導体の接続も全て正面側から１人で取付け・締付け作業が可能となる。
【０００８】
【発明の実施の形態】
以下、本発明の具体的な実施例を図１ないし図５により説明する。図１から図５は本発明の電気導体接続部２０を分電盤に使用した実施例を示す。３相電源側の第１導体となる母線導体１Ａ〜１Ｃと、これら母線導体１Ａ〜１Ｃの一方面に第２導体となる分岐導体２Ａ〜２Ｃを重ねて接続し、分岐導体２Ａ〜２Ｃの両側の各々に第１電気機器及び第２電気機器となる配線用遮断器３，４を接続している。
【０００９】
配線用遮断器３，４が同一定格であれば、分岐導体２Ｂと分岐導体２Ａ，２Ｃとの間の相間ピッチ３Ｌと４Ｌとは同一故、分岐導体２Ａ，２Ｂ，２Ｃは水平導体である。また図７のように一方の配線用遮断器３の定格より他方の配線用遮断器１４の定格が小さい時には、一方の配線用遮断器３の相間ピッチ３Ｌより他方の配線用遮断器４の相間ピッチ１０Ｌを狭くするように曲げている。
【００１０】
電源側の母線導体１には、図１に示すように、母線導体１の長手方向に沿って長く形成された長円形状の貫通穴８が、等間隔で、かつ相毎に異なる位置に開けられている。電源側の母線導体１の裏面には、この母線導体１の長手方向に沿って断面四角形状の押え金具９が配置されている。具体的に押え金具９は、断面コ字状の周縁部９Ａと、周縁部９Ａにおけるコ字状の両脚端を互いに向き合う方向に折り曲げて形成した突起部９Ｃと、これら両側の突起部９Ｃ間に形成された開口部９Ｂを有している。この開口部９Ｂが、図４に示すように、前記貫通穴８に対向するように、押え金具９を配置している。
【００１１】
貫通穴８及び開口部９Ｂを通して押え金具９内に楔型のネジ板１０が挿入されて位置している。ネジ板１０は、図３に示すように、ネジ棒１１を取付けている。ネジ板１０の端部には傾斜面１０Ａが形成されている。そしてネジ板１０の幅寸法を押え金具９の内側に当接する大きさに形成している。
【００１２】
ネジ板１０を図４の左側に示すように貫通穴８及び開口部９Ｂに挿入して押え金具９内に配置し、図４の右側の矢印方向にネジ棒１１を操作してネジ板１０の傾斜面１０Ａを押え金具９内のコ字状の両脚に当接させる。この状態で、ネジ棒１１に分岐導体２を挿入した後、ワッシャ・ナット１２Ａを挿入し、図２に示すように正面側からナット１２を回転して、ナット１２と押え金具９の突起部９Ｃとの間に電源側の母線導体１及び分岐導体２を固定し、電気導体接続部２０を構成している。尚、分岐導体２の母線導体１との接続部分には、詳細は省略するが、図２に示すように、ネジ板１０のネジ棒１１が貫通できる貫通穴が設けられている。
【００１３】
この実施例では、ネジ棒１１はネジ板１０の傾斜面１０Ａが押え金具９に当接した状態で、ネジ棒１１に挿入したナット１２を正面側から回転して締付けても、ネジ板１０は回転しないので、従来のようにナットをネジ棒に締付け時にネジ棒の回転を他の作業員が押えた状態で、ナットの締付け作業をする必要がなくなり、締付け作業を１人の作業員で容易に行えるようになった。ネジ板１０の端部は図３，４のように傾斜面１０Ａを形成している方が、押え金具９の内側に当接し易い。
【００１４】
図５の電気導体接続部２０は、前述のネジ棒１１付きネジ板１０の代わりに、頭部１１Ａを有するネジ棒１１を設けた場合である。開口部９Ｂより押え金具９内にネジ棒１１の頭部１１Ａを配置し、ネジ棒１１に母線導体１及び分岐導体２の貫通穴とナット１２を挿入し、ナット１２を回転させることで、押え金具９とナット１２との間に電源側の母線導体１及び分岐導体２とが固定される。
【００１５】
図６（Ａ），（Ｂ）の電気導体接続部２０は次のように構成されている。即ち、弾性を有するナット押え金具６によりナット１２を包囲し、ナット押え金具６の引掛部６Ａを押板５の押板貫通穴５Ａに挿入して、図６（Ｂ）のように母線導体１と対向する押板５面に引掛部６Ａを押圧して押板５に支持する。
【００１６】
この状態で盤正面側から頭部１１Ａを有するネジ棒１１にワッシャ１２Ａを挿入し、ネジ棒１１を母線導体１および分岐導体２の貫通穴に挿入し、ネジ棒１１をナット１２に締付けて固定するが、締付けるに従い引掛部６Ａは押板５と母線導体１に押圧されてナット１２が回転しにくくなり、締付け作業が容易になる。
【００１７】
更に図７及び図８に前述の電気導体接続部２０を適用した実施例を説明する。図７に示す如く、母線導体１Ａ，１Ｂ，１Ｃと分岐導体１３Ａ，２Ｂ，１３Ｃとは電気導体接続部２０により接続固定されている。分岐導体１３Ａ，２Ｂ，１３Ｃの両側に接続される配線用遮断器３及び配線用遮断器１４は定格（または容量）が異なる場合である。
【００１８】
配線用遮断器３の定格は配線用遮断器１４の定格より大きい。定格の小さい配線用遮断器１４に接続された３相の分岐導体２Ｂ，１３Ａ，１３Ｃのうち、分岐導体２Ｂの上方と下方に位置する分岐導体１３Ａ，１３Ｃを分岐導体２Ｂ側に折り曲げ、相間間隔１０Ｌを配線用遮断器３側の分岐導体２Ｂ，１３Ａ，１３Ｃの相間間隔３Ｌよりも狭くしている。
【００１９】
このように、分岐導体２Ｂを基準にして、上下に位置する分岐導体１３Ａ，１３Ｃの相間間隔１０Ｌをどのくらい折り曲げれば、相間間隔３Ｌより狭くできるか判断できるので、分岐導体１３Ａ，１３Ｃの折り曲げ作業は容易になる。
【００２０】
図８の実施例は、配線用遮断器４の正面側の幅寸法が取れない場合の例である。配線用遮断器４の正面側４Ａから裏面側４Ｂに沿って３相の電源側の母線導体１Ａ，１Ｂ，１Ｃを配置し、３相の母線導体１Ａ，１Ｂ，１Ｃと配線用遮断器４との間にＬ形形状の分岐導体１５Ａ，１５Ｂ，１５Ｃを接続する。３相の母線導体１Ａ，１Ｂ，１Ｃと分岐導体１５Ａ，１５Ｂ，１５Ｃとは、上述の電気導体接続部２０により接続されている。
【００２１】
このように電気導体接続部２０は配線用遮断器４の側面４Ｃに配置したので、電気導体接続部２０の接続作業は配線用遮断器４の正面側４Ａから行うことができるようになり、作業が容易になった。
【００２２】
尚、前述の実施例の電気導体接続部は交差する導体同士を電気的に接続する場合にも適用することができることは勿論である。また分電盤について述べたが、他の遮断器等の電気機器を使用した配電盤などの盤にも適用できる。
【００２３】
【発明の効果】
以上のように、本発明によれば、母線導体と分岐導体との接続が１人で作業出来るようになり、電気導体の接続作業が容易になった。また母線導体と分岐導体との接続も全て正面側から作業出来るようになり、電気導体の接続作業が容易になった。
【図面の簡単な説明】
【図１】  本発明の電源側の母線導体と分岐導体とを接続した電気導体接続部を示す斜視図。
【図２】  図１に使用した電源側の母線導体と分岐導体の接続部の詳細を示す部分断面図。
【図３】  図１に使用したネジ棒を有するネジ板の斜視図。
【図４】  押え金具内に楔型のネジ板を挿入して締付けた状態を説明する断面図。
【図５】  本発明の他の実施例である電気導体接続部を示す部分断面図。
【図６】  本発明の他の実施例である電気導体接続部を示す部分断面図。
【図７】  本発明の他の実施例である配線用遮断器と分岐導体との接続を示す斜視図。
【図８】  本発明の他の実施例である配線用遮断器を片側にのみ配置した場合の電源側の母線導体と分岐導体の接続を示す斜視図。
【符号の説明】
１Ａ，２１Ｂ，１Ｃ…電源側の母線導体、２Ａ，２Ｂ，２Ｃ…分岐導体、３，４…配線用遮断器、３Ｌ，４Ｌ…相間ピッチ、５…押板、６…ナット押え金具、６Ａ…引掛部、８…貫通穴、９…押え金具、９Ｂ…開口部、９Ｃ…突起部、１０…ネジ板、１１…ネジ棒、１１Ａ…頭部、１２…ナット、１３Ａ，１３Ｃ…分岐導体、１４…配線用遮断器、１５Ａ，１５Ｂ，１５Ｃ…分岐導体、２０…電気導体接続部。
【図１】
0004170609.tif 000002
【図２】
0004170609.tif 000003
【図３】
0004170609.tif 000004
【図４】
0004170609.tif 000005
【図５】
0004170609.tif 000006
【図６】
0004170609.tif 000007
【図７】
0004170609.tif 000008
【図８】
0004170609.tif 000009